(57)【要約】【課題】端部接触部において高い接触圧を確保することができて、電気接続における信頼性を高めることができる電気音響変換器の電極構造を提供する。【解決手段】電気音響変換器と回路基板との間を電気接続するための導電線材よりなるコイル状接続端子２４には、第１端側の大径側巻回部３１と、第２端側の小径側巻回部３２と、大径側巻回部３１と小径側巻回部３２との間で巻径が次第に小さくなるように巻回された中間螺旋部３３とを設ける。大径側巻回部３１の内径を中間螺旋部３３及び小径側巻回部３２の外径よりも大きくなるように形成する。大径側巻回部３１及び小径側巻回部３２の外側端面において、周方向に均等分割した少なくとも３点を、コイル状接続端子２４の軸線Ｌ１と直交する第１平面Ｐ１及び第２平面Ｐ２上に位置するように形成する。【選択図】図３
2008263444.tif 000002
【特許請求の範囲】
【請求項１】
電気音響変換器と回路基板との間を電気接続するために、導電線材よりなるコイル状接続端子を設けた電気音響変換器の電極構造において、
前記コイル状接続端子を、第１端側で一軸線を中心にその端部より３６０度の範囲内で巻回された大径側巻回部と、第２端側で前記軸線を中心にその端部より３６０度の範囲内で巻回された小径側巻回部と、前記大径側巻回部と小径側巻回部との間において前記軸線を中心に巻径が次第に小さくなるように螺旋状に巻回された中間螺旋部とにより構成し、
前記コイル状接続端子の大径側巻回部の内径を前記中間螺旋部及び小径側巻回部の外径よりも大きくし、
前記大径側巻回部の外側端面には、前記軸線を中心に大径側巻回部の端部を始点として形成される円をこの始点から大径側巻回部を分割する少なくとも３点の均等位置にそれぞれ保持点を設け、
各保持点は、前記軸線と直交する一平面上に位置するように形成し、
前記電気音響変換器に設けられた固定部に、前記複数の保持点において支持するとともに、前記中間螺旋部及び小径側巻回部を電気音響変換器の透孔から回路基板側に突出させ、その透孔の内径を前記大径側巻回部の外径よりも小さくするとともに、前記中間螺旋部の最大径部の外径よりも大きくしたことを特徴とする電気音響変換器の電極構造。
【請求項２】
前記小径側巻回部の先端部を、同小径側巻回部の内径よりも内方に位置させたことを特徴とする請求項１に記載の電気音響変換器の電極構造。
【請求項３】
前記小径側巻回部の先端部を、小径側巻回部よりも大径側巻回部側に位置させたことを特徴とする請求項１または２に記載の電気音響変換器の電極構造。
【請求項４】
前記電気音響変換器を、変換器本体と、その変換器本体に固定された端子保持部材とにより構成し、前記コイル状接続端子の大径側巻回部を前記変換器本体と端子保持部材との間に挟持したことを特徴とする請求項１〜３のうちのいずれか一項に記載の電気音響変換器の電極構造。
【発明の詳細な説明】
【技術分野】
【０００１】
この発明は、例えば携帯電話等の電気機器本体とマイクロフォン等の電気音響変換器との組み付けに際して、その電気音響変換器と電気機器本体側の回路基板との間を電気接続するための電気音響変換器の電極構造に関するものである。
【背景技術】
【０００２】
従来、この種の電気音響変換器の電極構造としては、例えば特許文献１に開示されるような構造のものが提案されている。この特許文献１に記載された電気音響変換器の電極構造は、電極を構成する接続端子が１本の導電線材をコイル状に巻回することにより、全体の輪郭が円錐台状をなすように形成されている。そして、このコイル状接続端子は、マイクロフォン等の電気音響変換器を携帯電話等の電気機器本体の環状凹部に着座されている。そして、コイル状接続端子は、電気音響変換器と回路基板との間に収縮状態で介在されている。
【特許文献１】特許第３６４１５７３号公報
【発明の開示】
【発明が解決しようとする課題】
【０００３】
ところで、前記のような携帯電話等においては、構造の簡素化と極端な小型化とが要求されることに加えて、振動や衝撃あるいは温度変化に伴う膨張収縮に対する信頼性が要求される。このため、電気音響変換器と回路基板との間に介在されて、電気音響変換器の電極構造を構成するコイル状接続端子も、小形化と動作の確実性とが要求される。
【０００４】
これらの要求に対応するために、特許文献１に記載のコイル状接続端子においては、全体の輪郭を傾斜角の大きな円錐台状に形成して、収縮状態でほぼ扁平形状になるように構成されている。このように構成した場合は、コイル状接続端子がほぼ扁平状に収縮されるために、小型化に寄与することができるが、振動や衝撃あるいは温度変化に伴う膨張収縮時の信頼性を得ることが困難である。
【０００５】
すなわち、前記のように全体の輪郭を傾斜角の大きな円錐台状に形成した場合は、小径側の端部における巻回部の巻回径が小さくなるため、その端部における接触面積を広くすることが困難になり、単なる接触のみでは電気接続における信頼性に乏しくなるおそれがある。
【０００６】
特許文献１の構成においては、コイル状接続端子の末端を延長して、その延長部をハンダ付けして電気接続を確保しているが、このように構成した場合には、ハンダ付けが必要なため、組み付けが面倒である。しかも、特許文献１の構成においては、コイル状接続端子はその大径側において上方が開放された環状凹部に着座されているため、その大径側が環状凹部から外れやすく、着座状態を保持するためにも前記のように、ハンダ付け構成は必要である。
【０００７】
この発明は、このような従来の技術に存在する問題点に着目してなされたものである。その目的は、端部接触部において高い接触圧を確保することができて、電気接続における信頼性を高めることができるとともに、組み付けが容易な電気音響変換器の電極構造を提供することにある。
【課題を解決するための手段】
【０００８】
上記の目的を達成するために、この発明は、電気音響変換器と回路基板との間を電気接続するために、導電線材よりなるコイル状接続端子を設けた電気音響変換器の電極構造において、前記コイル状接続端子を、第１端側で一軸線を中心にその端部より３６０度の範囲内で巻回された大径側巻回部と、第２端側で前記軸線を中心にその端部より３６０度の範囲内で巻回された小径側巻回部と、前記大径側巻回部と小径側巻回部との間において前記軸線を中心に巻径が次第に小さくなるように螺旋状に巻回された中間螺旋部とにより構成し、前記コイル状接続端子の大径側巻回部の内径を前記中間螺旋部及び小径側巻回部の外径よりも大きくし、前記大径側巻回部の外側端面には、前記軸線を中心に大径側巻回部の端部を始点として形成される円をこの始点から大径側巻回部を分割する少なくとも３点の均等位置にそれぞれ保持点を設け、各保持点は、前記軸線と直交する一平面上に位置するように形成し、前記電気音響変換器に設けられた固定部に、前記複数の保持点において支持するとともに、前記中間螺旋部及び小径側巻回部を電気音響変換器の透孔から回路基板側に突出させ、その透孔の内径を前記大径側巻回部の外径よりも小さくするとともに、前記中間螺旋部の最大径部の外径よりも大きくしたことを特徴としている。
【０００９】
従って、この電気音響変換器の電極構造では、コイル状接続端子が電気音響変換器と回路基板との間に収縮状態で介在されたとき、全体の輪郭がほぼ扁平形状になって、小型化に寄与することができる。また、このコイル状接続端子の収縮状態においても、大径側巻回部はその外側端面の周方向に均等分割した複数の保持点で、電気音響変換器の接触部に接触される。このため、コイル状接続端子の端部接触部において高い接触圧を確保することができて、電気接続における信頼性を高めることができる。このため、ハンダ付けは不要である。しかも、透孔の内径を前記大径側巻回部の外径よりも小さくするとともに、中間螺旋部に最大径部よりも大きくしたことにより、コイル状接続端子を定位置において、安定して組み付けることができる。
【００１０】
また、前記の電気音響変換器の電極構造においては、前記大径側巻回部を周方向に均等分割した少なくとも３点において前記軸線方向の両側から挟持状態で支持しているため、コイル状接続端子を所定位置から移動したり、外れたりすることなく保持できる。このため、前記と同様にハンダ付けが不要である。
【００１１】
また、前記の電気音響変換器の電極構造においては、電気音響変換器に端子保持板を設けて、その端子保持板に大径側巻回部を係止保持するための保持凹部と、中間螺旋部及び小径側巻回部を突出させるための透孔とを形成する等の簡単な構成により、コイル状接続端子を電気音響変換器の側面の所定位置に保持することができる。
【００１２】
さらに、前記の構成において、前記小径側巻回部の先端部を、同小径側巻回部の内径よりも内方に位置させるとよい。
【００１３】
このように構成した場合には、多数のコイル状接続端子を部品容器等に収容して搬送する際に、コイル状接続端子同士が先端部で絡み合うことを防止することができる。
【００１４】
しかも、前記の構成において、前記電気音響変換器を、変換器本体と、その変換器本体に固定された端子保持部材とにより構成し、前記コイル状接続端子の大径側巻回部を前記変換器本体と端子保持部材との間に挟持するとよい。
【００１５】
このようにすれば、簡単な構造の端子保持部材を設けるのみでよく、構成が簡単である。
【発明の効果】
【００１６】
以上のように、この発明の電気音響変換器の電極構造によれば、コイル状接続端子の端部接触部において高い接触圧を確保することができて、電気接続における信頼性を高めることができるとともに、組み付けが容易になるという効果を発揮する。
【発明を実施するための最良の形態】
【００１７】
以下に、この発明を具体化した電気音響変換器の電極構造の一実施形態を、図面に基づいて説明する。
【００１８】
図１及び図２に示すように、この実施形態のマイクロフォン等の電気音響変換器２１は、変換器本体２２と、その変換器本体２２を収容するハウジング２３とから構成されている。変換器本体２２の側面には、導電線材よりなるコイル状接続端子２４が端子保持部材としての端子保持板２５により取り付けられている。これらのコイル状接続端子２４は、基端側において変換器本体２２上のターミナル等の接触部２６に接触されるとともに、先端側においてハウジング２３の外方に突出されている。
【００１９】
そして、図２に示すように、前記電気音響変換器２１が携帯電話等の電気機器本体２７に組み付けられたとき、両コイル状接続端子２４の先端側が電気機器本体２７における回路基板２８上の接触部２９に接触され、それらのコイル状接続端子２４が収縮される。この接触により、電気音響変換器２１と回路基板２８との間が電気的に接続される。
【００２０】
次に、前記コイル状接続端子２４及びその関連の構成について詳細に説明する。図３〜図１１に示すように、このコイル状接続端子２４は、第１端側において一軸線Ｌ１を中心にその端部より３６０度の範囲内で１周分巻回された平面円形状の大径側巻回部３１と、第２端側において軸線Ｌ１を中心にその端部より３６０度の範囲内で巻回された平面円形状の小径側巻回部３２とを備えている。前記大径側巻回部３１と小径側巻回部３２との間には軸線Ｌ１を中心にして、小径側巻回部３２に向かって巻径が次第に小さくなるように螺旋状に巻回された中間螺旋部３３とを備えている。このため、コイル状接続端子２４の外形全体の輪郭がほぼ円錐台形状となるように形成されている。
【００２１】
図５に示すように、前記コイル状接続端子２４の大径側巻回部３１と中間螺旋部３３との間には、直線状連結部３４が形成されている。小径側巻回部３２の内側には、折り返し部３５が軸線Ｌ１方向側に向かって折り返すように形成されている。
【００２２】
図８に示すように、前記コイル状接続端子２４の大径側巻回部３１の内径Ｄ１は、中間螺旋部３３の最大径部３３ａの外径Ｄ３及び小径側巻回部３２の外径Ｄ２よりも大きくなるように形成されている。そして、図９に示すように、コイル状接続端子２４が軸線Ｌ１方向に収縮されたとき、中間螺旋部３３が大径側巻回部３１内に収容されて、コイル状接続端子２４の軸線Ｌ１方向の寸法が短縮され、全体の輪郭がほぼ扁平状態に変形される。
【００２３】
図３及び図５に示すように、前記コイル状接続端子２４の大径側巻回部３１の外側端面において、大径側巻回部３１を周方向に均等に分割した４点、つまり大径側巻回部３１の端部である０度の位置から９０度，１８０度，２７０度の４点３１ａ，３１ｂ，３１ｃ，３１ｄを含み、周方向のほぼ３３０度の角度範囲Ｒ１にわたる面が、軸線Ｌ１と直交する一平面としての第１平面Ｐ１上に位置するように形成されている。このため、前記４点３１ａ，３１ｂ，３１ｃ，３１ｄを前記接触部２６に対して接触状態で保持される保持点を構成する。すなわち、大径側巻回部３１の外側端面には、前記軸線Ｌ１を中心に大径側巻回部３１の端部を始点として形成される円をこの始点から大径側巻回部３１を均等４分割する位置に複数の前記保持点が設けられている。この複数の保持点は、前記軸線Ｌ１と直交する一平面上に位置する。
【００２４】
また、小径側巻回部３２の外側端面は、第１平面Ｐ１と平行な別の平面としての第２平面Ｐ２上に位置するように形成されている。
【００２５】
このため、図２に示すように、コイル状接続端子２４の収縮状態において、電気音響変換器２１の接触部２６及び回路基板２８の接触部２９に対して、大径側巻回部３１及び小径側巻回部３２による高い接触圧が確保される。また、大径側巻回部３１を周方向に均等に分割した３点、つまり大径側巻回部３１の端部である０度の位置から１２０度，２４０度の３点３１ａ，３１ｅ，３１ｆを含み、周方向の少なくとも２４０度の範囲が第１平面Ｐ１上に位置し、かつ、保持凹部２５ａの内周面に保持されているように構成してもよい。つまり、大径側巻回部３１を周方向に均等に少なくとも３分割した分割点の全てを含むように大径側巻回部３１の各点を設定すればよく、３分割した場合は２４０度の範囲を、４分割した場合は２７０度の範囲を、５分割した場合は２８８度の範囲を第１平面Ｐ１に位置させればよく、かつ、後述の保持凹部２５ａの内周面に保持されればよい。
【００２６】
特に、大径側巻回部３１を均等３分割する位置に設定される保持点である３点３１ａ，３１ｅ，３１ｆのように、後述の保持凹部２５ａに内接する正三角形の頂点を全て通過することで、大径側巻回部３１の端部から２４０度の範囲で圧接状態が得られるため、電気音響変換器２１単体時に保持凹部２５ａからコイル状接続端子２４が外れてしまったり、所定の位置から移動してしまったりすることがなく、安定した製品を提供することができる。
【００２７】
さらに、このコイル状接続端子２４においては、前記大径側巻回部３１により、電気音響変換器２１に対する保持部が構成されている。すなわち、図１及び図２に示すように、電気音響変換器２１の端子保持板２５には、各一対の固定部としての保持凹部２５ａ及び透孔２５ｂが同心状に形成されている。従って、保持凹部２５ａ及び透孔２５ｂは、環状領域に設けられている。そして、図１０及び図１１に示すように、保持部としての大径側巻回部３１が端子保持板２５の保持凹部２５ａに係止保持された状態で、中間螺旋部３３及び小径側巻回部３２が端子保持板２５の透孔２５ｂから外方に突出されて、コイル状接続端子２４が電気音響変換器２１の側面の所定位置に必要な精度をもって保持される。さらに、前記大径側巻回部３１の保持部には、その周方向に均等分割した保持点としての４点３１ａ，３１ｂ，３１ｃ，３１ｄを含み、周方向のほぼ３３０度の角度範囲Ｒ１（図５において図示）にわたる部分において、保持凹部２５ａの内周面に係合されて、その保持凹部２５ａに保持されている。この状態において、前記大径側巻回部３１は変換器本体２２と端子保持板２５との間において前記軸線Ｌ１の両側から挟持されている。また、前記透孔２５ｂの内径Ｄ４は、大径側巻回部３１の内径Ｄ１よりも小さく、中間螺旋部３３の最大径部３３ａの外径Ｄ３よりも大きく形成されている。
【００２８】
図８に示すように、前記コイル状接続端子２４における大径側巻回部３１の先端部は、隣接対応する中間螺旋部３３の最大径部３３ａに対して導電線材の直径ｄ１よりも小さい間隔３６をおいて軸線Ｌ１の反対側，すなわち外方に配置されている。なお、中間螺旋部３３の最大径部と大径側巻回部３１との間の間隔３６は、その最大径部と大径側巻回部３１とが接触する程度に狭いほうがよく、接触してもよい。また、小径側巻回部３２の折り返し部３５の先端部は、同小径側巻回部３２の内径よりも軸線Ｌ１側に位置させて、その小径側巻回部３２に対して導電線材の直径ｄ１よりも小さい間隔３７をおいて軸線Ｌ１側の内方に配置されるとともに、大径側巻回部３１側に向かって内方に位置している。このため、多数のコイル状接続端子２４が部品容器等に収容された状態で搬送される際に、コイル状接続端子２４同士が先端部にて絡み合うことが抑制される。
【００２９】
さて、図１には、電気機器本体２７に対して電気音響変換器２１が組み付けられる以前の状態が示されている。この状態においては、各コイル状接続端子２４の大径側巻回部３１が端子保持板２５の保持凹部２５ａに係止保持されるとともに、各コイル状接続端子２４の中間螺旋部３３及び小径側巻回部３２が端子保持板２５の透孔２５ｂから外方に突出されている。
【００３０】
この状態で、図２に示すように、電気音響変換器２１が電気機器本体２７に組み付けられると、電気音響変換器２１側の各コイル状接続端子２４が電気機器本体２７側の回路基板２８との間に収縮状態で介在される。従って、各コイル状接続端子２４の大径側巻回部３１が電気音響変換器２１側の接触部２６に圧接されるとともに、小径側巻回部３２が回路基板２８上の接触部２９に圧接されて、電気音響変換器２１と回路基板２８とが電気接続される。
【００３１】
このコイル状接続端子２４の収縮状態においては、図９に示すように、中間螺旋部３３が大径側巻回部３１内に収容されて、コイル状接続端子２４の軸線Ｌ１方向の寸法が短縮される。このため、コイル状接続端子２４の全体の輪郭がほぼ扁平状態になって、電気機器本体２７内にコイル状接続端子２４を収容するための広い収容空間を確保する必要がなく、携帯電話等の電気機器を小型に構成することができる。
【００３２】
また、各コイル状接続端子２４における大径側巻回部３１及び小径側巻回部３２の外側端面が所定の角度範囲Ｒ１、すなわちほぼ３３０度の範囲にわたって軸線Ｌ１と直交する平面Ｐ１，Ｐ２上に位置するように形成されているため、コイル状接続端子２４の収縮状態では、大径側巻回部３１及び小径側巻回部３２の外側端面が電気音響変換器２１及び回路基板２８側の接触部２６，２９に対して高い接触圧で接触される。よって、電気機器本体２７や電気音響変換器２１に付与される振動や衝撃あるいは温度変化に伴って、コイル状接続端子２４が膨張収縮した場合でも、高い接触圧を確保することができて、電気接続における信頼性を高めることができる。
【００３３】
さらに、この実施形態においては、コイル状接続端子２４の大径側巻回部３１により保持部が構成されている。そして、電気音響変換器２１に設けられた端子保持板２５の保持凹部２５ａに大径側巻回部３１が係止保持された状態で、中間螺旋部３３及び小径側巻回部３２が端子保持板２５の透孔２５ｂから外方に突出されるように構成されている。このため、簡単な端子保持構成により、コイル状接続端子２４を電気音響変換器２１の側面の所定位置に保持することができる。さらに、前記大径側巻回部３１は、その周方向に均等分割した４点３１ａ，３１ｂ，３１ｃ，３１ｄにおいて、保持凹部２５ａに保持されているため、良好な電気接続状態が維持される。加えて、コイル状接続端子２４の大径側巻回部３１が保持凹部２５ａ内において変換器本体２２と端子保持板２５との間に挟持されているため、その大径側巻回部３１が所定位置から移動したり、外れたりすることを防止できる。このため、ハンダ付けを用いなくても、良好な電気接触を維持でき、組み付けが容易になる。しかも、大径側巻回部３１の保持のために、単純な構成の端子保持板２５を設けただけであるから、構成が簡単である。さらに、大径側巻回部３１は保持凹部２５ａに内面に対して２４０度の範囲で圧接されて保持される。しかも、透孔２５ｂの内径Ｄ４が、大径側巻回部３１の内径Ｄ１よりも小さく、中間螺旋部３３の最大径部３３ａの外径Ｄ３よりも大きいため、大径側巻回部３１が透孔２５ｂから抜け出ることがないとともに、中間螺旋部３３は透孔２５ｂ内においてその透孔２５ｂの内周縁と干渉することなく伸縮できる。従って、コイル状接続端子２４を定位置において正確に組み付けることができる。
【００３４】
しかも、この実施形態においては、コイル状接続端子２４の大径側巻回部３１及び小径側巻回部３２の先端部が、巻回部３１，３２または中間螺旋部３３に対して導電線材の直径ｄ１よりも小さい間隔３６，３７をおいて軸線Ｌ１側の内方に配置されるとともに、大径側巻回部３１側（図８の下方）に位置している。よって、多数のコイル状接続端子２４を部品容器等に収容して搬送する際に、コイル状接続端子２４同士が先端部で絡み合うことを防止することができる。
【００３５】
以上に述べた実施形態における電気音響変換器の電極構造の効果を列挙すれば以下の通りである。
【００３６】
（１）  コイル状接続端子２４の収縮状態においては、同接続端子２４の全体の輪郭がほぼ扁平状態になり、小型に構成することができる。
【００３７】
（２）  大径側巻回部３１及び小径側巻回部３２の外側端面が電気音響変換器２１及び回路基板２８側の接触部２６，２９に対して高い接触圧で接触され、電気接続における信頼性を高めることができる。
【００３８】
（３）  コイル状接続端子２４のハンダ付けが不要であるため、組み付けが容易である。
【００３９】
（４）  部品点数を少なくできて、構成が簡単である。
【００４０】
（５）  コイル状接続端子２４の大径側巻回部３１により保持部が構成され、電気音響変換器２１側の端子保持板２５の保持凹部２５ａに大径側巻回部３１が係止保持されるため、簡単な構成により、コイル状接続端子２４を電気音響変換器２１の側面の所定位置に保持することができるとともに、良好な電気接続状態を得ることができる。従って、安定した品質の製品を得ることができる。
【００４１】
（６）  コイル状接続端子２４の大径側巻回部３１及び小径側巻回部３２の先端部が、軸線Ｌ１側に位置しているため、コイル状接続端子２４同士が先端部で絡み合うことを防止することができる。
【００４２】
（変更例）
なお、この実施形態は、次のように変更して具体化することも可能である。
【００４３】
・  前記実施形態のコイル状接続端子２４において、大径側巻回部３１及び小径側巻回部３２の外側端面の周方向に均等分割した少なくとも３点を、軸線Ｌ１と直交する第１平面Ｐ１及び第２平面Ｐ２上に位置するように形成すること。
・  大径側巻回部３１をその周方向に均等分割した少なくとも３点において保持凹部２５ａに保持すること。
【００４４】
・  コイル状接続端子２４の大径側巻回部３１を保持するための保持凹部を変換器本体２２側に設けたり、あるいは変換器本体２２及び端子保持板２５の双方に設けたりすること。
【００４５】
・  電気音響変換器２１をマイクロフォンとした実施形態においてこの発明を具体化すること。
【図面の簡単な説明】
【００４６】
【図１】一実施形態のコイル状接続端子を備えた電気音響変換器を示す部分破断側面図。
【図２】図１の電気音響変換器を電気機器本体に組み付けた状態を示す部分破断側面図。
【図３】図１の電気音響変換器におけるコイル状接続端子を拡大して示す正面図。
【図４】図３のコイル状接続端子の背面図。
【図５】同コイル状接続端子の底面図。
【図６】同コイル状接続端子の右側面図。
【図７】同コイル状接続端子の左側面図。
【図８】図５の９−９線における断面図。
【図９】図８のコイル状接続端子の収縮状態を示す断面図。
【図１０】コイル状接続端子の組み付け状態を示す平断面図。
【図１１】同じくコイル状接続端子の組み付け状態を示す側断面図。
【符号の説明】
【００４７】
２１…電気音響変換器、２２…変換器本体、２４…コイル状接続端子、２５…端子保持板、２５ａ…保持凹部、２５ｂ…透孔、２６…接触部、２７…電気音響機器本体、２８…回路基板、２９…接触部、３１…大径側巻回部、３１ａ〜３１ｆ…点、３２…小径側巻回部、３２ａ〜３２ｆ…点、３３…中間螺旋部、３３ａ…最大径部、３６，３７…間隔、Ｌ１…軸線、Ｄ１…内径、Ｄ２…外径、Ｄ３…外径、Ｄ４…内径、Ｐ１…第１平面、Ｐ２…第２平面。
【図１】
2008263444.tif 000003
【図２】
2008263444.tif 000004
【図３】
2008263444.tif 000005
【図４】
2008263444.tif 000006
【図５】
2008263444.tif 000007
【図６】
2008263444.tif 000008
【図７】
2008263444.tif 000009
【図８】
2008263444.tif 000010
【図９】
2008263444.tif 000011
【図１０】
2008263444.tif 000012
【図１１】
2008263444.tif 000013